(57)【特許請求の範囲】
【請求項１】
躯体表面にモルタルを塗り付けてなる外壁の目地構造であって、
目地となる箇所に前記躯体表面に沿って配設される目地部材と、該目地部材に沿って、長手方向へ配設される補強シートとを具備してなり、
前記目地部材は、前記躯体表面に向かって互いに離間する方向へ傾斜された、複数の貫通孔を有する翼板を具備することを特徴とする外壁の目地構造。
【請求項２】
前記補強シートは、複数の孔部が形成された低延伸性の不織布からなることを特徴とする請求項１記載の外壁の目地構造。
【請求項３】
前記補強シートは、目の粗い低延伸性の織布からなることを特徴とする請求項１記載の外壁の目地構造。
【請求項４】
前記補強シートは、メッシュ状に形成された樹脂からなることを特徴とする請求項１記載の外壁の目地構造。
【発明の詳細な説明】
【０００１】
【発明の属する技術分野】
この発明は、外壁の目地構造に係り、特にモルタルによって構築される外壁の目地構造に関するものである。
【０００２】
【従来の技術】
従来より、図８に示すように、住宅等の建築物の外壁を施工する場合、まず、建築物の下地１の上に防水性を有する例えばアスファルト含浸紙等の防水シート２を貼り付け、その表面側にラス３を貼り付けて配設し、その後、下塗りモルタル４、上塗りモルタル５を順に塗って仕上げるという作業を行なっていた。
ところで、上記のようにして施工した外壁のモルタル４、５部分にクラックが発生すると、美観を損ねるだけでなく、雨水の浸入によってモルタル４、５の剥離あるいは下地１の腐朽を招いてしまう恐れがあるが、このクラックの発生を完全に防止することは極めて困難であったため、外壁を構成するモルタル４、５の表面に所定間隔をあけて溝部６を形成し、これら溝部６へコーキング材７を充填させた溝目地８を形成しておき、外壁に生じるクラックＣを溝目地８に集中させるようにしていた。
【０００３】
【発明が解決しようとする課題】
しかしながら、上記の目地構造にあっては、施工作業に多大な労力を要するとともに、意匠性を損ねてしまうという問題があり、さらには、コーキング材７の劣化により、防水性も劣化してしまう恐れがあった。
また、溝部６の形成及び溝部６のコーキング処理の手間を省くために、図９に示すように、断面コ字状の目地部材９を用いた構造も採用されているが、目地部材９の両側部に直立して突出した側板１０への鏝押さえが不十分になりやすく、このため、目地部材９の両側板１０とモルタル４、５との境界部分近傍にてクラックＣが発生してしまう恐れがあった。
【０００４】
この発明は、上記事情に鑑みてなされたもので、美観を損ねることなく、クラックの発生を抑さえることが可能な外壁の目地構造を提供することを目的としている。
【０００５】
【課題を解決するための手段】
上記目的を達成するために、請求項１記載の外壁の目地構造は、躯体表面にモルタルを塗り付けてなる外壁の目地構造であって、目地となる箇所に前記躯体表面に沿って配設される目地部材と、該目地部材に沿って、長手方向へ配設される補強シートとを具備してなり、前記目地部材は、前記躯体表面に向かって互いに離間する方向へ傾斜された、複数の貫通孔を有する翼板を具備することを特徴としている。
請求項２記載の外壁の目地構造は、請求項１記載の外壁の目地構造において、前記補強シートが、複数の孔部が形成された低延伸性の不織布からなることを特徴としている。
請求項３記載の外壁の目地構造は、請求項１記載の外壁の目地構造において、前記補強シートが、低延伸性の目の粗い織布からなることを特徴としている。
請求項４記載の外壁の目地構造は、請求項１記載の外壁の目地構造において、前記補強部材が、メッシュ状に形成された樹脂からなることを特徴としている。
【０００６】
【発明の実施の形態】
以下、本発明の外壁の目地構造の実施の形態を図によって説明する。
図１において、符号１１は、目地部材である。この目地部材１１は、樹脂等を押出成形したもので、外壁１の厚さ方向に配設される基板１２と、この基板１２の先端側に一体に設けられた翼板１３とから構成されている。図２に示すように、この目地部材１１の翼板１３は、下地１方向へ傾斜されて断面Ｖ字状に形成されており、複数の貫通孔１４が形成されている。
そして、この目地部材１１は、基板１２のＴ字状に形成された端部が、下地１にモルタル団子１６によって取り付けられ、さらに、全体が下塗りモルタル４内に埋設されている。
また、翼板１３が一体化された基板１２の頂部には、図３に示すように、複数の六角形状の孔部１７が形成された低延伸性を有する例えば不織布からなるテープ状の補強シート１５が、目地部材１１の長手方向に沿って貼り付けられ、その上面側に上塗りモルタル５が塗り付けられている。
【０００７】
次に、上記構成の外壁の施工手順を説明する。
（１）まず、防水シート２及びラス３を順に貼り付けた下地１の表面に、モルタル団子１６によって目地部材１１の基板１２を固定する。このとき、目地部材１１は、下地１の表面の凹凸、むくり（不陸）にとらわれずに、下げ振り等に合わせて垂直に固定する。
（２）次いで、目地部材１１の頂部を基準として下塗りモルタル４を鏝によって塗り付ける。
ここで、垂直に取り付けられた目地部材１１により、上記下地１の表面の凹凸、むくり（不陸）が修正され、下塗りモルタル４の表面を平坦にすることができる。
また、鏝の扱きによって、下塗りモルタル４が目地部材１１の翼板１３に穿設された複数の貫通孔１４から入り込み、目地部材１１の裏面側へも隈無く充填される。
【０００８】
（３）次に、目地部材１１の頂部に沿って補強シート１５を貼り付ける。
ここで、この補強シート１５の貼り付け時に、下塗りモルタル４が未硬化状態の場合は、直接押しつけることにより、補強シート１５を容易に貼り付けることができる。なお、下塗りモルタル４が硬化した後に補強シート１５を貼り付ける場合は、モルタルあるいは接着剤によって貼り付ける。
（４）その後、上塗りモルタル５を塗布し、前記補強シート１５を塗り込めて表面を平滑に仕上げる。
【０００９】
このように、上記作業によって極めて容易に、目地部材１１及び補強シート１５が配設された目地構造を有する外壁を施工することができる。
そして、このような構造の外壁の目地部によれば、目地部材１１の翼板１３が下地１方向へ傾斜されてＶ字状に形成されているので、モルタルの鏝押さえを確実に行なうことができるとともに、貫通孔１４にモルタルが食い込み目地部剤１１とモルタルとが強固に一体化される。また、目地部剤１１の頂部に設けられた補強シート１５によって目地部材１１の両側部近傍の表層モルタルの収縮を抑制することができ、これにより、目地部分におけるクラックＣの発生を防止することができる。
なお、モルタル乾燥時の収縮ストレスは、モルタルの収縮につれて目地部材１１の翼部１３が頂部を支点として両側に拡開することにより解消される。これにより前記補強シート１５の効果と相まって表面におけるクラックの発生を抑制することができる。
【００１０】
なお、補強シート１５の配設の仕方としては、図４に示すように、目地部材１１の表面に沿わせても良い。また、上記の例では、目地部材１１として、平坦な頂部を有するものが用いられたが、例えば、図５に示すように、角形に形成された頂部を有するもの、あるいは図６に示すように、湾曲状に形成された頂部を有するものであっても良い。
なお、補強シート１５としては、低延伸性を有するものであれば、不織布に限らず、目の粗い織布、あるいはメッシュ形状に形成された樹脂、さらには薄い鉄板でも良い。
また、上記実施の形態では、木材等からなる下地１の表面に防水シート２、ラス３を順に貼り付けた躯体に外壁を施工したが、図７に示すように、コンクリートＣからなる躯体の場合も同様に施工すれば良い。
なお、下塗りモルタル４を鏝によって塗り付ける場合、必ずしも目地部材１１の裏面側へ隈無く充填させる必要はなく、図７に示すように間隙を有した状態でも良い。そして、このように間隙を有する目地構造によれば、この間隙にて外壁に生じる応力を吸収させることができ、これにより、さらなるクラックの発生の防止を図ることができる。
【００１１】
【発明の効果】
以上、説明したように、本発明の外壁の目地構造によれば、下記の効果を得ることができる。
請求項１記載の外壁の目地構造によれば、例えば、目地部材の翼板によって、モルタルを確実に押さえることができるとともに、目地部材の頂部に設けられた補強シートによって目地部材の両側部近傍のモルタルの収縮を抑制することができ、クラックの発生を防止することができる。
さらに、モルタル乾燥時の収縮ストレスは、モルタルの収縮につれて目地部材の翼部が頂部を支点として両側に拡開することにより解消される。これにより補強シートの効果と相まって表面におけるクラックの発生を抑制することができる。
これにより、従来のように、わざわざクラックを集中的に生じさせる目地溝を形成する必要をなくすことができ、作業効率の向上を図ることができるとともに、良好な美観を確保することができる。
【００１２】
請求項２記載の外壁の目地構造は、低延伸性の不織布からなる補強シートによって目地部材の両側部近傍のモルタルの収縮を確実に抑さえることができる。
請求項３記載の外壁の目地構造は、低延伸性の目の粗い織布からなる補強シートによって目地部材の両側部近傍のモルタルの収縮を確実に抑さえることができる。
請求項４記載の外壁の目地構造は、メッシュ状に形成された樹脂からなる補強シートによって目地部材の両側部近傍のモルタルの収縮を確実に抑さえることができる。
【図面の簡単な説明】
【図１】本発明の外壁の目地構造の実施の形態を説明する外壁の目地部分の断面図である。
【図２】（ａ）は、本発明の外壁の目地構造の実施の形態の例にて用いられる目地部材の正面図であり、（ｂ）は、本発明の外壁の目地構造の実施の形態の例にて用いられる目地部材の平面図である。
【図３】本発明の外壁の目地構造の実施の形態にて用いられる補強シートの説明をする補強シートの斜視図である。
【図４】本発明の外壁の目地構造の実施の形態の他の例を説明する外壁の目地部分の断面図である。
【図５】本発明の外壁の目地構造の実施の形態の他の例を説明する外壁の目地部分の断面図である。
【図６】本発明の外壁の目地構造の実施の形態の他の例を説明する外壁の目地部分の断面図である。
【図７】本発明の外壁の目地構造の実施の形態を説明する外壁の目地部分の断面図である。
【図８】従来の外壁の目地構造を説明する外壁の目地部分の断面図である。
【図９】目地部材を用いた外壁の目地構造を説明する外壁の目地部分の断面図である。
【符号の説明】
１  下地（躯体）
４  下塗りモルタル（モルタル）
５  上塗りモルタル（モルタル）
１１  目地部材
１２  基板
１３  翼板
１４  貫通孔
１５  補強シート
１７  孔部
Ｃ  コンクリート（躯体）
【図１】
0003654971.tif 000002
【図２】
0003654971.tif 000003
【図３】
0003654971.tif 000004
【図４】
0003654971.tif 000005
【図５】
0003654971.tif 000006
【図６】
0003654971.tif 000007
【図７】
0003654971.tif 000008
【図８】
0003654971.tif 000009
【図９】
0003654971.tif 000010